(57)【要約】【課題】ハウジングの寸法を拡張することなく、可溶体部の視認性を向上させることができるヒュージブルリンクユニットを提供する。【解決手段】連結プレート部５，１３に各可溶体部６，１４を介して連結される複数の雌端子部７，１５が平板状のプレート材より一体に形成された第１及び第２ヒューズ回路構成体２，３と、この第１及び第２ヒューズ回路構成体２，３がその平面方向Ｚを挿入方向として開口部２５より回路体収容室２６に挿入されて装着されるハウジング４とを備えたヒュージブルリンクユニット１において、雌端子７，１５用の複数の可溶体部６，１４を連結プレート部５，１３の平面方向Ｚに対して斜めに配置した。【選択図】　　　図７
2004127696.tif 000002
【特許請求の範囲】
【請求項１】
連結プレート部に各可溶体部を介して連結される複数の端子部が平板状のプレート材より一体に形成されたヒューズ回路構成体と、このヒューズ回路構成体がその平面方向を挿入方向として開口部より回路体収容室に挿入されることにより装着されるハウジングとを備えたヒュージブルリンクユニットにおいて、
前記複数の可溶体部の少なくとも１つが前記連結プレート部の平面方向に対して斜めに配置されたことを特徴とするヒュージブルリンクユニット。
【請求項２】
請求項１記載のヒュージブルリンクユニットであって、
前記ヒューズ回路構成体は２枚であり、この２枚のヒューズ回路構成体が間隔を開けて前記回路体収容室に挿入され、前記２枚のヒューズ回路構成体の各可溶体部の傾斜方向が互いに近接する方向に設定されていることを特徴とするヒュージブルリンクユニット。
【発明の詳細な説明】
【０００１】
【発明の属する技術分野】
本発明は、導電性で平板状のプレート材より一体に形成されたヒューズ回路構成体がハウジングに組み込まれる連鎖型大電流用のヒュージブルリンクユニットに関する。
【０００２】
【従来の技術】
この種の従来のヒュージブルリンクユニットとして、図１５〜図１７に示すものがある。このヒュージブルリンクユニット１００は、図１５に示すように、第１及び第２ヒューズ回路構成体１０１，１０２と、これらヒューズ回路構成体１０１，１０２が組み込まれるハウジング１０３とを備えている。
【０００３】
図１６に示すように、第１ヒューズ回路構成体１０１は、連結プレート部１０４と、この連結プレート部１０４に各可溶体部１０５を介して連結された複数の端子部１０６ａ，１０６ｂと、連結プレート部１０４の一端側より延設されたバッテリ用端子部１０７と、連結プレート部１０４の他端側に可溶体１０５ａを介して連結された共通端子部１０８とを有し、図示しない導電性を有する平板状のプレート材のプレス加工により形成される。
【０００４】
図１７に示すように、第２ヒューズ回路構成体１０２は、連結プレート部１０９と、この連結プレート部１０９に各可溶体部１１０を介して連結された複数の端子部１１１ａ，１１１ｂと、連結プレート部１０９の他端側より延設された共通端子部１１２とを有し、図示しない導電性を有する平板状のプレート材のプレス加工により形成される。
【０００５】
図１５に示すように、ハウジング１０３は略直方体形状を有し、その上方に開口部１１３を有する回路体収容室１１４が内部に形成されている。この回路体収容室１４の下方には複数のコネクタハウジング部１１５と複数の端子支持部１１６が設けられている。
【０００６】
上記構成において、図１５に示すように、第１ヒューズ回路構成体１０１及び第２ヒューズ回路構成体１０２をその平面方向を挿入方向とし、且つ、複数の端子部１０６ａ，１０６ｂ，１１１ａ，１１１ｂを挿入先端としてハウジング１０３の開口部１１３より回路体収容室１１４に挿入する。
【０００７】
そして、第１ヒューズ回路構成体１０１及び第２ヒューズ回路構成体１０２が回路体収容室１１４に完全に挿入されると、第１及び第２ヒューズ回路構成体１０１，１０２の各連結プレート部１０４，１０９が回路体収容室１１４に配置されると共に、各端子部１０６ａ，１０６ｂ，１１１ａ，１１１ｂがコネクタハウジング部１１５内や端子支持部１１６の所定位置にセットされる。
【０００８】
次に、第１及び第２ヒューズ回路構成体１０１，１０２の互いの共通端子部１０８，１１２をボルト１１７ａでハウジング１０３に共締めする。これによって第１ヒューズ回路構成体１０１と第２ヒューズ回路構成体１０２が電気的に接続され、第１ヒューズ回路構成体１０１及び第２ヒューズ回路構成体１０２によって所望のヒューズ回路が構成される。
【０００９】
また、バッテリ用端子１０７もボルト１１７ｂによってハウジング１０３に締結する。バッテリ用端子１０７には図示しないバッテリ用ケーブルの端子が、各コネクタハウジング部１１５内の各端子部１０６ａ，１１１ａには相手側コネクタ１１８の各端子が、端子支持部１１６の各端子部１０６ｂ，１１１ｂにはビス止めでＬＡ端子１１９がそれぞれ接続される。相手側コネクタ１１８の各端子及び各ＬＡ端子１１９はケーブル１２０を介して各負荷にそれぞれ接続され、これら各負荷にバッテリからの電源がヒューズ回路を介して分配供給される。そして、負荷側の短絡事故などによって可溶体部１０５，１１０に所定以上の電流が通電されると、可溶体部１０５，１１０が発熱によって溶断し、過電流に基づく事故が防止される。
【００１０】
上記ヒュージブルリンクユニット１００にあっては、平板状の第１及び第２ヒューズ回路構成体１０１，１０２をハウジング１０３に組み込むことによりユニットを構成するため、多くの可溶体部（ヒューズ箇所）１０５，１１０を有するヒューズ回路を非常にコンパクトに構成できるものである。特に、図１５に示すように、第１ヒューズ回路構成体１０１と第２ヒューズ回路構成体１０２とを狭い間隔Ｗを開けたのみで配置できるため、ヒューズ回路の増設に対してハウジング１０３の長手方向Ｌを拡張することなく短手方向Ｙのわずかな拡張によって対応できる等の利点がある。
【００１１】
【特許文献１】
特開２０００−１３３１１４号公報
【００１２】
【発明が解決しようとする課題】
しかしながら、前記従来のヒュージブルリンクユニット１００では、平板状の第１及び第２ヒューズ回路構成体１０１，１０２をその平面方向を挿入方向としてハウジング１０３に挿入するため、可溶体部１０５，１１０はハウジング１０３内の連結プレート部１０４，１０９より奥に配置される。従って、ハウジング１０３内の可溶体部１０５，１１０の状態を開口部１１３より目視し難いという問題がある。
【００１３】
ここで、ハウジング１０３の短手方向Ｙを大きくすれば、可溶体部１０５，１１０の視認性を向上させることができるが、ハウジング１０３の短手方向Ｙの寸法は、コンパクト化のために極力狭く形成することが望ましく、ハウジング１０３の短手方向Ｙの寸法を広げることは避けたい。
【００１４】
そこで、本発明は、前記した課題を解決すべくなされたものであり、ハウジングの寸法を拡張することなく、可溶体部の視認性を向上させることができるヒュージブルリンクユニットを提供することを目的とする。
【００１５】
【課題を解決するための手段】
請求項１の発明は、連結プレート部に各可溶体部を介して連結される複数の端子部が平板状のプレート材より一体に形成されたヒューズ回路構成体と、このヒューズ回路構成体がその平面方向を挿入方向として開口部より回路体収容室に挿入されることにより装着されるハウジングとを備えたヒュージブルリンクユニットにおいて、前記複数の可溶体部の少なくとも１つが前記連結プレート部の平面方向に対して斜めに配置されたことを特徴とする。
【００１６】
このヒュージブルリンクユニットでは、ハウジング内の連結プレート部の奥に配置される可溶体部が連結プレート部の平面方向に対して傾斜し、開口部から見え易い配置となる。
【００１７】
請求項２の発明は、請求項１記載のヒュージブルリンクユニットであって、前記ヒューズ回路構成体は２枚であり、この２枚のヒューズ回路構成体が間隔を開けて前記回路体収容室に挿入され、前記２枚のヒューズ回路構成体の各可溶体部の傾斜方向が互いに近接する方向に設定されていることを特徴とする。
【００１８】
このヒュージブルリンクユニットでは、請求項１の発明の作用に加え、第１及び第２ヒューズ回路構成体の各可溶体部が同時に目視される。
【００１９】
【発明の実施の形態】
以下、本発明の一実施形態を図面に基づいて説明する。
【００２０】
図１〜図１４は本発明の一実施形態を示し、図１は連鎖型大電流用のヒュージブルリンクユニットの斜視図、図２はその分解斜視図、図３はその平面図、図４はその正面図、図５は図３中Ａ−Ａ線に沿う断面図、図６は図３中Ｂ−Ｂ線に沿う断面図、図７は図３中Ｃ−Ｃ線に沿う断面図、図８は図３中Ｄ−Ｄ線に沿う断面図、図９は第１ヒューズ回路構成体の正面図、図１０（ａ），（ｂ）は第１ヒューズ回路構成体を構成する各パーツプレートの正面図、図１１は第２ヒューズ回路構成体の正面図、図１２（ａ），（ｂ）は第２ヒューズ回路構成体を構成する各パーツプレートの正面図、図１３（ａ）は図９中Ｅ−Ｅ線に沿う断面図、図１３（ｂ）は図１１中Ｆ−Ｆ線に沿う断面図、図１４は第１及び第２ヒューズ回路構成体が形成するヒューズ回路図である。
【００２１】
図１〜図８に示すように、ヒュージブルリンクユニット１は、ブスバーである第１ヒューズ回路構成体２と、同じくブスバーである第２ヒューズ回路構成体３と、これらヒューズ回路構成体２，３が互いに所定の間隔を開けて組み込まれる合成樹脂製のハウジング４とを備えている。
【００２２】
図９に示すように、第１ヒューズ回路構成体２は、細長い長方形状の連結プレート部５と、この連結プレート部５の短手方向に各可溶体部６を介して連鎖状に連結された複数の雌端子部７と、連結用プレート部５の短手方向に各可溶体部６を介して連鎖状に連結された複数のビス止め用端子部８と、連結プレート部５の短手方向に可溶体部を介さずに直接連結された１つのバッテリ用端子部９と、連結プレート部５の長手方向に可溶体部１０を介して連結された差し込み係止部１１とを有し、図示しない導電性で平板状のプレート材をプレス加工することにより一体に形成されている。
【００２３】
各可溶体部６は細幅でクランク状を有し、そのクランク形状の途中に低融点金属が加締め固定されるものであり、それぞれに所定値以上の電流が通電されると溶断されるようになっている。また、可溶体部１０は細長でストレート状を有する。連結プレート部５と各ビス止め用端子部８との間に介在された各可溶体部６は、連結プレート部５の平面方向に対して傾斜されることなく同一平面状に配置されているが、連結プレート部５と各雌端子部７との間に介在された各可溶体部６は、図７及び図１３（ａ）に示すように、連結プレート部５の平面方向Ｚに対して傾斜して配置されている。
【００２４】
複数の雌端子部７と複数のビス止め用端子部８は、隣接するもの同士が間隔を置いて連鎖状に配置されている。差し込み係止部１１の一部は垂直方向に折曲され、この折曲部分が共通端子部１２として形成されている。
【００２５】
図１１に示すように、第２ヒューズ回路構成体３は、細長い長方形状の連結プレート部１３と、この連結プレート部１３の短手方向に各可溶体部１４を介して連鎖状に連結された複数の雌端子部１５と、連結用プレート部１３の短手方向に各可溶体部１４を介して連鎖状に連結された複数のビス止め用端子部１６と、連結プレート部１３の長手方向に延設された差し込み係止部１７とを有し、図示しない導電性で平板状のプレート材をプレス加工することにより一体に形成されている。
【００２６】
各可溶体部１４は、第１ヒューズ回路構成体２の可溶体部６と同様に、細幅でクランク状を有し、そのクランク形状の途中に低融点金属が加締め固定されるものであり、それぞれに所定値以上の電流が通電されると溶断されるようになっている。連結プレート部１３と各ビス止め用端子部１６との間に介在された各可溶体部１４は、第１ヒューズ回路構成体２のものと同様に、連結プレート部１３の平面方向Ｚに対して傾斜されることなく同一平面状に配置されているが、連結プレート部１３と各雌端子部１５との間に介在された各可溶体部１４は、図７及び図１３（ｂ）に示すように、連結プレート部１３の平面方向Ｚに対して傾斜して配置されている。但し、第１ヒューズ回路構成体２のものに比べて傾斜角度が緩く形成されている。そして、第１ヒューズ回路構成体２の各可溶体部６と第２ヒューズ回路構成体３の各可溶体部１４との傾斜方向は、図７に示すように、ハウジング４に装着された状態にあって、互いに近接する方向になるように設定されている。
【００２７】
また、複数の雌端子部１５と複数のビス止め用端子部１６は、第１ヒューズ回路構成体２のものと同様に、隣接するもの同士が間隔を置いて連鎖状に配置されている。差し込み係止部１７の一部は、第１ヒューズ回路構成体２のものと同じく垂直方向に折曲され、この折曲部分が共通端子部１８として形成されている。第１ヒューズ回路構成体２の共通端子部１２と第２ヒューズ回路構成体３の共通端子部１８とは、ハウジング４に装着された状態にあってボルト１９と共に密着され、この双方の共通端子部１２，１８によってオルタネータ用端子２０が形成される。
【００２８】
また、第１ヒューズ回路構成体２と第２ヒューズ回路構成体３は、それぞれ図１０（ａ），図１２（ａ）に示す一方のパーツプレート２ａ，３ａと、図１０（ｂ），図１２（ｂ）に示す他方のパーツプレート２ｂ，３ｂとが互いに接合されることによって形成されている。一方のパーツプレート２ａ，３ａは、連結プレート部５に形成する連結部２１ａ，２２ａと、連結プレート部５の右エリアに配置される可溶体部６，１０，１４及び端子部７，８，１５，１６等とから構成され、他方のパーツプレート２ｂ、３ｂは連結プレート部１３に形成する連結部２１ｂ，２２ｂと、連結プレート部１３の左エリアに配置される可溶体部６，１４及び端子部７，８，１５，１６等とから構成される。つまり、第１及び第２ヒューズ回路構成体２，３の内の連結プレート部５，１３はパーツプレート２ａ，３ｂ，３ａ，３ｂが２枚重なり合って形成され、それ以外の部分はいずれかのパーツプレート２ａ，３ｂ，３ａ，３ｂのみで形成されている。
【００２９】
図１〜図８に示すように、ハウジング４は略直方体形状を有し、上方に開口部２５を有する回路体収容室２６が内部に形成されている。回路体収容室２６の下方には複数のコネクタハウジング部２７及び複数の端子支持部２８とが設けられている。このハウジング４の上方には図示しない透明カバーが装着され、この透明カバーによって開口部２５が塞がれるようになっている。
【００３０】
次に、上記ヒュージブルリンクユニット１の組み付けを簡単に説明する。図２に示すように、第１ヒューズ回路構成体２及び第２ヒューズ回路構成体３をその平面方向Ｚを挿入方向とし、且つ、複数の雌端子部７，１５等を挿入先端としてハウジング４の開口部２５より回路体収容室２６に挿入する。
【００３１】
そして、第１ヒューズ回路構成体２及び第２ヒューズ回路構成体３が互いに所定の間隔を開けてハウジング４の開口部２５より回路体収容室２６に完全に挿入されると、図５〜図８に示すように、第１及び第２ヒューズ回路構成体２，３の各連結プレート部５，１３が回路体収容室２６に配置されると共に、各端子部７，８，１５，１６がコネクタハウジング部２７内や端子支持部２８の所定位置にセットされる。
【００３２】
また、第１及び第２ヒューズ回路構成体２，３の互いの共通端子部１２，１８はボルト１９と共に密着され、双方の共通端子部１２，１８によってオルタネータ用端子２０が形成される。共通端子部１２，１８を介して第１ヒューズ回路構成体２と第２ヒューズ回路構成体３が電気的に接続されることによって、図１４に示すヒューズ回路が構成される。
【００３３】
次に、バッテリ用端子部９には図示しないバッテリ用ケーブルの端子が、オルタネータ用端子２０にはボルト１９とナットによってオルタネータ用ケーブルのＬＡ端子（いずれも図示せず）が接続される。また、各コネクタハウジング部２７内の各雌端子部７，１５には相手側コネクタの各雄端子（図示せず）が、端子支持部２８のビス止め用端子部８，１６にはナット部材２９とビス（図示せず）によってＬＡ（丸形）端子３０がそれぞれ接続される。相手側コネクタの各雄端子及び各ＬＡ端子３０はケーブル３１を介して図示しない各負荷にそれぞれ接続される。
【００３４】
上記構成において、各負荷にバッテリやオルタネータからの電源がヒュージブルリンクユニット１のヒューズ回路を介して分配供給される。また、バッテリの電源が少なくなると、オルタネータよりバッテリに電源が供給されることによって充電が行われる。そして、負荷側の短絡事故などによっていずれかの可溶体部６，１０，１４に所定以上の電流が通電されると、可溶体部６，１０，１４が発熱によって溶断し、過電流に基づく事故が防止される。
【００３５】
ところで、ヒュージブルリンクユニット１の保守・点検等を行う場合には、開口部２５よりハウジング４内を覗くことにより内部の各可溶体部６，１０，１４の状態（溶断の有無等）を確認する。このヒュージブルリンクユニット１では、図７に示すように、ハウジング４内の連結プレート部５，１３の奥に配置される雌端子部７，１５用の可溶体部６，１４は、連結プレート部５，１３の平面方向Ｚに対して傾斜し、開口部２５から見え易い配置となっているため、開口部２５の幅が従来同様に狭くても可溶体部６，１４の状態が容易に見える。つまり、ハウジング３の短手方向の寸法を拡張していないが、可溶体部６，１４の視認性が良い。
【００３６】
この実施形態では、第１及び第２ヒューズ回路構成体２，３の２枚が間隔を開けて回路体収容室２６に挿入され、この２枚のヒューズ回路体構成体２，３の雌端子部７，１５用の各可溶体部６，１４が互いに近接する傾斜方向に設定されているので、第１及び第２ヒューズ回路構成体２，３の各可溶体部６，１４を同時に目視することができる。
【００３７】
尚、前記実施形態によれば、第１及び第２ヒューズ回路構成体２，３の可溶体６，１４の内で、雌端子部７，１５用の可溶体部６，１４のみが連結プレート部５，１３の平面方向に対して傾斜配置されているが、スペース的な余裕があればその以外の可溶体部６，１４も傾斜配置する方が好ましいことは勿論である。また、第１及び第２ヒューズ回路構成体２，３の２枚でヒューズ回路を形成するようにしたが、ヒューズ回路構成体を１枚のみで形成する場合にも、３枚以上で形成する場合にも同様に適用することができることは勿論である。
【００３８】
【発明の効果】
以上説明したように、請求項１の発明によれば、複数の可溶体部の少なくとも１つを連結プレート部の平面方向に対して斜めに配置したので、ハウジング内の連結プレート部の奥に配置される可溶体部が連結プレート部の平面方向に対して傾斜し、ハウジングの開口部から見え易い配置となり、ハウジングの寸法を拡張することなく、可溶体部の視認性を向上させることができる。
【００３９】
請求項２の発明によれば、２枚のヒューズ回路構成体が間隔をあけて回路体収容室に挿入され、この２枚のヒューズ回路構成体の各可溶体部の傾斜方向が互いに近接する方向に設定されているので、第１及び第２ヒューズ回路構成体の各可溶体部を同時に目視することができる。
【図面の簡単な説明】
【図１】本発明の一実施形態を示し、ヒュージブルリンクユニットの斜視図である。
【図２】本発明の一実施形態を示し、ヒュージブルリンクユニットの分解斜視図である。
【図３】本発明の一実施形態を示し、ヒュージブルリンクユニットの平面図である。
【図４】本発明の一実施形態を示し、ヒュージブルリンクユニットの正面図である。
【図５】本発明の一実施形態を示し、図３中Ａ−Ａ線に沿う断面図である。
【図６】本発明の一実施形態を示し、図３中Ｂ−Ｂ線に沿う断面図である。
【図７】本発明の一実施形態を示し、図３中のＣ−Ｃ線に沿う断面図である。
【図８】本発明の一実施形態を示し、図３中Ｄ−Ｄ線に沿う断面図である。
【図９】本発明の一実施形態を示し、第１ヒューズ回路構成体の正面図である。
【図１０】本発明の一実施形態を示し、（ａ）及び（ｂ）は第１ヒューズ回路構成体を構成する各パーツプレートの正面図である。
【図１１】本発明の一実施形態を示し、第２ヒューズ回路構成体の正面図である。
【図１２】本発明の一実施形態を示し、（ａ）及び（ｂ）は第２ヒューズ回路構成体を構成する各パーツプレートの正面図である。
【図１３】本発明の一実施形態を示し、（ａ）は図９中Ｅ−Ｅ線に沿う断面図、（ｂ）は図１１中Ｆ−Ｆ線に沿う断面図である。
【図１４】本発明の一実施形態を示し、第１及び第２ヒューズ回路構成体が形成するヒューズ回路図である。
【図１５】従来例のヒュージブルリンクユニットの分解斜視図である。
【図１６】従来例の第１ヒューズ回路構成体の正面図である。
【図１７】従来例の第２ヒューズ回路構成体の正面図である。
【符号の説明】
１　ヒュージブルリンクユニット
２　第１ヒューズ回路構成体（ヒューズ回路構成体）
３　第２ヒューズ回路構成体（ヒューズ回路構成体）
４　ハウジング
５，１３　連結プレート部
６，１０，１４　可溶体部
７，１５　雌端子部（端子部）
８，１６　ビス止め用端子部（端子部）
２５　開口部
２６　回路体収容室
Ｚ　平面方向
【図１】
2004127696.tif 000003
【図２】
2004127696.tif 000004
【図３】
2004127696.tif 000005
【図４】
2004127696.tif 000006
【図５】
2004127696.tif 000007
【図６】
2004127696.tif 000008
【図７】
2004127696.tif 000009
【図８】
2004127696.tif 000010
【図９】
2004127696.tif 000011
【図１０】
2004127696.tif 000012
【図１１】
2004127696.tif 000013
【図１２】
2004127696.tif 000014
【図１３】
2004127696.tif 000015
【図１４】
2004127696.tif 000016
【図１５】
2004127696.tif 000017
【図１６】
2004127696.tif 000018
【図１７】
2004127696.tif 000019